(57)【要約】【課題】ＳＮＳのコメント機能を活用し、アフィリエイト広告等のインターネット広告を会員間に拡げることを課題とする。【解決手段】本発明は、広告提供システムに関し、ＳＮＳサイト制御部１０８が、広告主サーバ１０１から所定の通知を受信した場合に、第二のユーザ識別子に関連付けられている第一のユーザ識別子を特定し、特定された前記第一のユーザ識別子に基づき第一の通信端末１００に対して、第二の通信端末１００のユーザに係るユーザ情報と商用ウェブサイトのリンク情報とを含むコメントデータを、コンテンツデータとして送信し、さらに成果報酬制御部１１２が、第二のユーザ識別子に対して付与された前記成果報酬に対して第一の成果報酬を加算することを特徴とする。【選択図】図１
2014075141.tif 000002
【特許請求の範囲】
【請求項１】
商用ウェブサイトを提供する第一のサーバと第一の通信端末とに接続されるサーバであって、
前記第一の通信端末から受信した第一のユーザ識別子と、前記第一のサーバに接続する第二の通信端末から受信した第二のユーザ識別子とを関連付けて記憶するユーザ管理データベースと、
コンテンツデータを前記第一の通信端末に送信することにより、前記コンテンツデータを前記第一の通信端末に設けられた表示部に表示させる制御部と、
前記第一のサーバから、前記第二の通信端末が前記第一のサーバにより提供される前記商用ウェブサイトにおいて所定の処理を実行した場合に送信され、前記第二のユーザ識別子を含む通知を受信する受信部とを備えており、
前記制御部は、
前記受信部が前記通知を受信した場合に、前記通知に含まれる前記第二のユーザ識別子に関連付けられている前記第一のユーザ識別子を特定し、特定された前記第一のユーザ識別子に基づき前記第一の通信端末に対して、前記第二のユーザ識別子に係るユーザ情報と前記商用ウェブサイトのリンク情報とを含むコメントデータを、前記コンテンツデータとして送信し、
さらに成果報酬を制御する成果報酬制御部を備え、
前記ユーザ管理データベースは、前記第二のユーザ識別子と、前記第二のユーザ識別子に対して付与された前記成果報酬とを関連付けて記憶しており、
前記成果報酬制御部は、前記通知が受信された場合に、前記第二のユーザ識別子に対して付与された前記成果報酬に対して第一の成果報酬を加算することを特徴とするサーバ。
【発明の詳細な説明】
【技術分野】
【０００１】
本発明は、広告提供システムに関する。
【背景技術】
【０００２】
近年、インターネット上の商用ウェブサイトにおいて商取引される商品またはサービス（以下、「商品等」という。）に関する広告提供手段として、アフィリエイトプログラムが広く用いられている。アフィリエイトプログラムを利用することで、商用ウェブサイトで商品・サービスを提供する個人又は企業等(以下、「広告主」という。)は、商品に関心をもつユーザのチャンネルを広告掲載者のウェブサイトにより拡大することができ、かつ広告料が通常成果に応じて定められるため費用対効果が高い。従来のアフィリエイトプログラム提供システムは、例えば特許文献１に記載されている。
【０００３】
一方、社会的ネットワークをインターネット上で構築する会員サービスとしてソーシャル・ネットワーキング・サービス（ＳＮＳ）がある。ＳＮＳでは通常、会員のプロフィール等がＳＮＳサイトで掲載された上で会員同士がお互いに友人等の登録をすることで社会的ネットワークが形成される。またＳＮＳでは会員毎に固有のウェブページが割り当てられ、当該ウェブページ上におけるコメント機能により、自己及び友人が投稿したコメントを表示でき、会員同士のコミュニケーションの円滑化が図られる。前述のアフィリエイトプログラムをはじめとしたインターネット広告を、ＳＮＳのコメント機能を活用してＳＮＳの会員間に拡げることができれば、高い広告宣伝効果が期待される。
【先行技術文献】
【特許文献】
【０００４】
【特許文献１】特開２００７-１９３６１３
【発明の概要】
【発明が解決しようとする課題】
【０００５】
しかしながらＳＮＳのコメント機能を活用し、アフィリエイト広告等のインターネット広告をＳＮＳの会員間に拡げようとする場合、従来は会員ユーザ自身が宣伝文句等のコメントを個別に作成し投稿なければならず煩雑であり、顧客吸引力のある広告を作成することは困難であった。
【０００６】
本発明は、このような従来の課題を解決するものであり、ＳＮＳのコメント機能を活用し、会員ユーザが自ら宣伝文句等を記入する必要なく顧客吸引力のある広告を提供可能な広告提供システムを提供するものである。
【課題を解決するための手段】
【０００７】
上記課題を解決するために本発明に係る広告提供システムは、商用ウェブサイトを提供する第一のサーバと、第二のサーバと、前記第二のサーバに接続する第一の通信端末と、前記第一のサーバに接続する第二の通信端末とを備えた広告提供システムであって、前記第二のサーバは、前記第一の通信端末から受信した第一のユーザ識別子と、前記第二の通信端末から受信した第二のユーザ識別子とを関連付けて記憶するユーザ管理データベースと、コンテンツデータを前記第一の通信端末に送信することにより、前記コンテンツデータを前記第一の通信端末に設けられた表示部に表示させる制御部と、を備えており、前記第一のサーバは、前記第二の通信端末が前記第一のサーバにより提供される前記商用ウェブサイトにおいて所定の処理を実行した場合に、前記第二のサーバに対して前記第二のユーザ識別子を含む通知を送信し、前記制御部が、前記通知を受信した場合に、前記通知に含まれる前記第二のユーザ識別子に関連付けられている前記第一のユーザ識別子を特定し、特定された前記第一のユーザ識別子に基づき前記第一の通信端末に対して、前記第二のユーザ識別子に係るユーザ情報と前記商用ウェブサイトのリンク情報とを含むコメントデータを、前記コンテンツデータとして送信し、前記第二のサーバはさらに成果報酬を制御する成果報酬制御部を備え、前記ユーザ管理データベースは、前記第二のユーザ識別子と、前記第二のユーザ識別子に対して付与された前記成果報酬とを関連付けて記憶しており、前記成果報酬制御部は、前記通知が受信された場合に、前記第二のユーザ識別子に対して付与された前記成果報酬に対して第一の成果報酬を加算することを特徴とする。
【発明の効果】
【０００８】
上記構成により本発明の広告提供システムは、ＳＮＳのコメント機能を活用し、ＳＮＳサイト制御部が会員ユーザのコメントを自動的に作成することで会員ユーザが自ら宣伝文句等を記入する必要なく、顧客吸引力のある広告を提供する広告提供システムを提供することができる。
【図面の簡単な説明】
【０００９】
【図１】本発明の実施の形態１に係る構成を表すブロック図である。
【図２】本発明の実施の形態１に係るユーザ管理テーブルの内容を表す図である。
【図３】本発明の実施の形態１に係るコメント投稿の動作を表す図である。
【図４】本発明の実施の形態１に係るコメント管理テーブルの内容を表す図である。
【図５】本発明の実施の形態１に係るコメント表示の動作を表す図である。
【図６】本発明の実施の形態１に係るマイページ表示例を表す図である。
【図７】本発明の実施の形態１に係る関連ユーザのマイページ表示例を表す図である。
【図８】本発明の実施の形態１に係る広告提供システムの動作を表すフローチャートである。
【図９】本発明の実施の形態１に係る報酬対象処理管理テーブルの内容を表す図である。
【図１０】本発明の実施の形態１に係る成果報酬管理テーブルの内容を表す図である。
【図１１】本発明の実施の形態１に係る広告管理テーブルの内容を表す図である。
【図１２】本発明の実施の形態１に係る更新されたコメント管理テーブルの内容を表す図である。
【図１３】本発明の実施の形態１に係る更新されたマイページ表示例を表す図である。
【図１４】本発明の実施の形態１に係る更新された関連ユーザのマイページ表示例を表す図である。
【図１５】本発明の実施の形態２に係る構成を表すブロック図である。
【図１６】本発明の実施の形態２に係る成果報酬管理テーブルの内容を表す図である。
【図１７】本発明の実施の形態２に係る広告管理テーブルの内容を表す図である。
【図１８】本発明の実施の形態２に係る参加ユーザ管理テーブルの内容を表す図である。
【図１９】本発明の実施の形態２に係る動作を表すフローチャートである。
【図２０】本発明の実施の形態２に係る中間ページ表示例を表す図である。
【図２１】本発明の実施の形態２に係る追加成果報酬の付与に関する動作を表すフローチャートである。
【図２２】本発明の実施の形態２に係る更新された参加ユーザ管理テーブルの内容を表す図である。
【図２３】本発明の実施の形態２に係る更新されたコメント管理テーブルの内容を表す図である。
【図２４】本発明の実施の形態３に係る動作を表すフローチャートである。
【発明を実施するための形態】
【００１０】
以下、本発明の実施の形態について説明する。
【００１１】
（１）実施の形態１
（１．１）広告提供システムの概略構成
図１は本発明の実施の形態１に係る広告提供システムの構成を示すブロック図である。本発明の実施の形態１における広告提供システムは、図１に示すように、複数の通信端末１００と、広告主サーバ１０１と、ＳＮＳサーバ１０２とを備える。広告主サーバ１０１は、広告主が運営し、商品・サービス等（以下「商品等」という。）の商用ウェブサイトを提供する。ＳＮＳサーバ１０２は、ソーシャル・ネットワーキング・サービス（ＳＮＳ）のウェブサイト（以下、「ＳＮＳサイト」という。）を提供する。ＳＮＳサイトには、広告主の商品等を宣伝する広告が掲載される。すなわち、本発明に係るＳＮＳサイトは、広告掲載者のウェブサイトである。広告主サーバ１０１、ＳＮＳサーバ１０２及び通信端末１００は互いにインターネット１０３を介して相互に有線または／及び無線により接続されている。
【００１２】
通信端末１００は、無線または/及び有線により広告主サーバ１０１とＳＮＳサーバ１０２とにインターネットを介して接続される通信機器である。通信端末１００は、好ましくは携帯電話、タブレット端末、パーソナル・コンピュータ等で構成される。図１では携帯電話として図示しているがこれに限定されない。通信端末１００は、無線通信部、ディスプレイ、キーボード等を有しており、無線通信部により各サーバと情報を送受信する。例えば、通信端末１００は、無線通信部を介してウェブサイトを構成する情報をサーバから受信し、当該ウェブサイトをディスプレイに表示する。これにより、通信端末１００を使用しているウェブサイト閲覧者（以下、「ユーザ」という）がウェブサイトを閲覧できる。また、通信端末１００は、各種ウェブサイト上の登録フォーム、ログイン画面等でキーボードにより文字、記号、数字等を入力するように構成されている。
【００１３】
（１．２）広告主サーバ１０１の構成
次に、広告主サーバ１０１の構成について説明する。
【００１４】
広告主サーバ１０１は、広告主サイトコンテンツデータベース(ＤＢ)１０４と、広告主サイト制御部１０５と、商取引処理部１０６とを備える。広告主サイトコンテンツデータベース(ＤＢ)１０４は、広告主が運用する商用ウェブサイトのコンテンツデータ、及び、商用ウェブサイト上で商取引される商品またはサービスのデータを格納する。具体的には、広告主サイトコンテンツデータベース１０４には、商用ウェブサイト上で表示されるウェブページを構成する文字、記号、数字、画像又は動画等のコンテンツデータが格納される。
【００１５】
広告主サイト制御部１０５は、広告主サイトコンテンツデータベース１０４に格納されたコンテンツデータをユーザが閲覧できるように制御する。具体的には、広告主サイト制御部１０５は、通信端末１００から送信されたＵＲＬに基づき、広告主サイトコンテンツデータベース１０４に格納されたコンテンツデータ等を通信端末１００に送信する。商取引処理部１０６は、ユーザが商用ウェブサイト上で商品等購入をする場合に商取引を制御する。
【００１６】
商取引処理部１０６は、商品等購入ウェブページにおいて、ユーザの通信端末１００から送信されたユーザの情報(氏名、住所、連絡先、クレジット番号、ＳＮＳサイトにおいて用いられるユーザ識別子（後述）等)を取得し、商品販売、ソフトウェアライセンス、サービス提供(月間会員登録)等の商取引処理を行うように構成されている。商品等は無償であってもよく、無償の場合にはクレジット番号を取得する必要はない。好ましくは、これら商取引はＳＳＬやＴＳＬ等のセキュアな通信プロトコルにより行われる。完了した商取引処理が所定の報酬対象処理に該当する場合、商取引処理部１０６は、広告主サーバ１０１の送信部（不図示）を介して、ＳＮＳサーバ１０２に成果通知を送信する。報酬対象処理は、実行された場合にＳＮＳサイトにおいて利用可能なポイント（後述）を付与すると定められている処理である。成果通知は、所定のユーザにより報酬対象処理が実行されたことを示す。例えば、広告主サーバ１０１は、ＳＮＳサイトに広告を掲載している商品の識別子と、当該商品に係る商取引処理を示す情報と、当該商取引処理に係る商品の広告に付与された広告識別子とを関連付けて記憶するテーブルを保持しておく。商取引処理部１０６は、完了した商取引処理が当該テーブルに格納されている場合には、完了した商取引処理に対応する広告識別子と、ＳＮＳサイトにおいて用いられるユーザ識別子と、商取引処理の実行時刻とを含む成果通知を、ＳＮＳサーバ１０２に送信する。
【００１７】
（１．３）ＳＮＳサーバ１０２の構成
ＳＮＳサーバ１０２は、ＳＮＳサイトコンテンツデータベース１０７と、ＳＮＳサイト制御部１０８と、ユーザ情報制御部１０９と、ユーザ管理データベース１１０と、ユーザ識別子取得部１１１と、成果報酬制御部１１２と、計時部１１３と、コメント管理データベース１１４と、報酬対象処理管理データベース１１５と、成果報酬管理データベース１１６と、広告管理データベース１１７とを備える。
【００１８】
ＳＮＳサイトコンテンツデータベース１０７は、ＳＮＳサイトのコンテンツデータを格納する。例えば、ＳＮＳサイトコンテンツデータベース１０７に格納されるコンテンツデータは、ＳＮＳサイトに含まれるウェブページを構成する文字、記号、数字、画像及び動画等のデータである。
【００１９】
ＳＮＳサイト制御部１０８は、ユーザがＳＮＳサイトを閲覧及びコメントの投稿、表示ができるようにＳＮＳサイトコンテンツデータベース１０７及び後述する各データベースを制御する。
【００２０】
ユーザ情報制御部１０９は、通信端末１００毎に割り当てられるユーザ識別子を発行及びユーザ識別子同士を関連付ける。ユーザ管理データベース１１０は、ユーザ情報制御部１０９により発行されたユーザ識別子及び関連付けられたユーザ識別子を格納する。
【００２１】
ユーザ情報制御部１０９は、ＳＮＳサイトを閲覧するユーザに、ユーザの所望によりユーザ識別子を割り当てるように構成される。このようにしてユーザ識別子を割り当てられたユーザを以下“会員ユーザ”という。ユーザ識別子は会員ユーザ毎に異なり、会員ユーザを特定するための文字、記号、数字等から構成され、例えば“ＵＩＤ００１”等である。ユーザ識別子は、ユーザが所望の識別子を選択できるように構成してもよく、またユーザ名をユーザ識別子として用いてもよい。
【００２２】
ユーザ情報制御部１０９は、通信端末１００からの要求により、好ましくは、通信端末１００に、新規ユーザ登録フォームを送信する。新規ユーザ登録フォームは、ユーザが新規に登録を希望するユーザ情報（ユーザ名、氏名、メールアドレス等）及びパスワードを入力できるように構成されている。ユーザ情報制御部１０９は、通信端末１００から送信されたユーザ情報及びパスワードを受信すると、受信したユーザ情報に含まれるメールアドレスと同一のメールアドレスが既に登録されていないかどうかをユーザ管理データベース１１０に基づき照合する。照合の結果、同一のメールアドレスが登録されていない場合、送信されたユーザ情報、パスワードをユーザ管理データベース１１０に格納する。ユーザ情報制御部１０９はユーザ管理データベース１１０に格納された順番で連続する番号でユーザ識別子を割り当てる。例えば一番初めにユーザ管理データベース１１０に格納されるユーザに“ＵＩＤ００１”、次のユーザに“ＵＩＤ００２”というように各ユーザに異なる識別子を割り当てる。なお、通信端末１００として複数のメールアドレスが使用な端末が用いられる場合には、メールアドレスに加え、端末固有の識別子を合わせて確認することによって通信端末１００とユーザ識別子とを１対１で割り当てることが可能である。
【００２３】
また、ユーザ情報制御部１０９は、通信端末１００からの要求により、ユーザ毎に割り当てられたユーザ識別子同士を関連付ける。ここで「ユーザ識別子同士を関連付ける」とは、ある第１のユーザ識別子に関するユーザ情報として、第２のユーザ識別子をユーザ管理データベース１１０に格納することを意味する。好ましくは、ユーザの通信端末１００から関連ユーザの登録要求があると、ユーザ情報制御部１０９は、関連ユーザ登録フォームを送信する。関連ユーザ登録フォームは、第１のユーザが関連ユーザとしての登録を希望する第２のユーザのユーザ識別子（第２のユーザ識別子）を入力できるように構成されている。関連ユーザ登録フォームにより、第２のユーザ識別子を第１のユーザが入力し、入力された第２のユーザ識別子がＳＮＳサーバ１０２宛に送信される。ユーザ情報制御部１０９は、入力された第２のユーザ識別子を取得し、第１のユーザに関するユーザ情報として、第２のユーザ識別子を関連付ける。これにより、例えばある会員ユーザが友人を関連ユーザとして登録することができる。なお、関連ユーザ登録フォームで入力できる情報はユーザ識別子には限定されず、ユーザ名、メールアドレス、あるいはこれらの組み合わせでもよい。また、第１のユーザ識別子に関するユーザ情報として、第２のユーザ識別子をユーザ管理データベース１１０に格納する際に、第２のユーザ識別子に関するユーザ情報として第１のユーザ識別子を格納してもよい。
【００２４】
なお関連ユーザの登録方法はこの方法に限られない。他の例としては、ＳＮＳサイトにおいて登録されているユーザ及びそのユーザ情報を検索できるようにし、検索の結果から当該ユーザのプロフィールが表示されたページにアクセスし、当該ページに設けられた関連ユーザ申請ボタンをクリックすることにより、関連ユーザの登録要求ができるように構成してもよい。
【００２５】
図２は、ユーザ情報制御部１０９がユーザ管理データベース１１０に格納したユーザ識別子及び関連付けられたユーザ情報を示す。ユーザ管理データベース１１０には、好ましくはユーザ管理テーブル２００の形式で各種情報が格納される。
【００２６】
ユーザ管理テーブル２００の第１列目２０１には、ユーザ識別子、第２列目以降にはユーザ情報が格納される。第２列目２０２にはユーザ名、第３列目２０３にはパスワードが格納され、第４列目２０４には各ユーザの氏名が格納され、第５列目２０５には各ユーザのメールアドレスが格納され、第６列目２０６には関連付けられたユーザ識別子が格納される。第７列目２０７には各ユーザが保有するポイントが格納される。図２に示すユーザ管理テーブル２００では、例えばユーザ識別子“ＵＩＤ００１”に関連付けて、ユーザ名、パスワード、氏名、メールアドレス、関連ユーザ識別子、ポイントとしてそれぞれ、“たくや”、“１２ｂｃｄｅａａ”、“田中拓哉”、“abcd@xxx.ne.jp”、“ＵＩＤ００２、ＵＩＤ００３、ＵＩＤ００５”及び“４３０ポイント”が格納されている。なお、ユーザ管理テーブル２００に格納される情報はこれらに限られず、例えば、出身地、年齢、住所等の情報が格納されていてもよい。
【００２７】
ここで「ポイント」とは、商品、サービスや現金と引き換えることのできる特典や、商品やサービスの購入時に割引を受けることのできる特典をいう。ポイントは、ユーザがＳＮＳサイトにおいて会員ユーザとして登録した場合や、ＳＮＳサイトで商品を購入、サービスを利用した場合等の所定の処理をした場合に、成果報酬制御部１１２により付与される。ポイントにより交換可能な商品は、例えば音楽データ、画像データ、ゲームソフト等である。
【００２８】
ユーザ識別子取得部１１１は、ユーザが通信端末１００を用いてＳＮＳサイトを閲覧する際に、当該ユーザに割り当てられたユーザ識別子を取得する。例えば、ユーザ識別子取得部１１１は、通信端末１００を通じてＳＮＳサイトに設けられたログインフォームに所定の情報（ユーザ識別子、ユーザ名、又はメールアドレス等及びパスワード）を入力させ、ＳＮＳサーバ１０２に送信させることにより、当該ユーザのユーザ識別子を取得する。
【００２９】
またユーザ識別子取得部１１１は、通信端末１００から取得したユーザ識別子及びパスワードと、ユーザ管理データベース１１０に格納されたユーザ識別子及びパスワードとを照合し、一致すればＳＮＳサイト制御部１０８にユーザ識別子を送る。ＳＮＳサイト制御部１０８は、当該ユーザ識別子に基づき、ユーザ固有のウェブページ（以下、「マイページ」と呼ぶ）のコンテンツデータを通信端末１００に送信する。これにより、通信端末１００のディスプレイにはマイページが表示される。
【００３０】
成果報酬制御部１１２は、ＳＮＳサイト内で利用可能なポイントをユーザ識別子毎に制御する。成果報酬制御部１１２は、成果通知の受信に応じて、所定のポイントをユーザに付与する。計時部１１３は、ＳＮＳサイト制御部１０８からの制御に基づき、各ユーザがコメントした時刻を計時する。計時部１１３は、成果通知が受信された時刻等の時刻を計時してもよい。
【００３１】
コメント管理データベース１１４は、ユーザが投稿したコメントを格納する。報酬対象処理管理データベース１１５は、ユーザが報酬対象処理をした場合に当該ユーザの情報を格納する。成果報酬管理データベース１１６は、成果通知が受信された場合に成果報酬制御部１１２が付与するポイントに関する情報を格納する。広告管理データベース１１７は、ＳＮＳサイトにおいて宣伝広告される広告の各種情報を格納する。これらのデータベースに格納される情報については以下の動作とともに詳細に説明する。
【００３２】
（１．４）広告提供システムの動作
次に、本実施の形態１における広告提供システムについて、図３、図５、及び図８によりその動作を説明する。図３はコメント投稿に係る動作、図５はコメント表示に係る動作、図８は報酬対象処理が実行された場合に実行される自動コメント投稿に係る動作をそれぞれ図示している。なお当該動作に先立ち、ＳＮＳサーバ１０２のユーザ管理データベース１１０には、あらかじめ新規ユーザ登録及び関連ユーザ登録により、図２に示すユーザ管理テーブル２００がユーザ管理データベース１１０に格納されているものとして説明をする。
【００３３】
（１．４．１）コメント投稿に係る動作
まず、通信端末１００がユーザの入力操作によりＳＮＳサーバ１０２にコメントを送信した場合の動作を図３に示す。はじめにステップＳ３０１において、通信端末１００は、ユーザの入力操作に基づき、ＳＮＳサーバ１０２に対して、ユーザ識別子と、コメントの内容を含むテキストデータ（以下「コメントテキストデータ」という。）とを送信する。ＳＮＳサーバ１０２が当該データを受信すると、ＳＮＳサイト制御部１０８は、計時部１１３を参照して、当該データを受信した時刻を投稿時刻として取得する（ステップＳ３０２）。ここで、ユーザ識別子は“ＵＩＤ００１”、コメントテキストデータは“晴れた、やった！”、コメントの投稿時刻は“３／２２  ６：３０”であったとして説明をする。続いてＳＮＳサイト制御部１０８は、コメントを投稿したユーザのユーザ名を取得する（ステップＳ３０３）。具体的には、ＳＮＳサイト制御部１０８は、ユーザ管理データベース１１０を参照し、ユーザ識別子に対応するユーザ名を取得する。ここではＳＮＳサイト制御部１０８は“ＵＩＤ００１”にかかるユーザ名“たくや”を取得する。最後にステップＳ３０４において、ＳＮＳサイト制御部１０８は、コメント管理データベース１１４に、ユーザ識別子と、ユーザ名と、コメントテキストデータと、投稿時刻とを含むコメントデータを格納し、コメント投稿に係る動作が終了する。
【００３４】
図４は、ＳＮＳサイト制御部１０８がコメント管理データベース１１４に格納したコメントの情報を示す。コメント管理データベース１１４には、好ましくはコメント管理テーブル４００の形式で各種情報が格納される。
【００３５】
コメント管理テーブル１１４の第１列目４０１にはコメントを一意に特定するコメント識別子、第２列目４０２にはユーザ識別子が格納される。第３列目４０３にはユーザ名が格納され、第４列目４０４には各ユーザが投稿したコメントテキストデータが格納される。第５列目４０５には当該コメントが投稿された投稿時刻が格納される。ここで、前述にて送信されたコメントは、コメント識別子“ＣＩＤ００１２５”の行に格納されている。
【００３６】
（１．４．２）コメント表示に係る動作
図５は、ＳＮＳサイト制御部１０８がマイページにコメントを表示するための動作を示す。まず、ステップＳ５０１において、ＳＮＳサイトに設けられたトップページにおいて、通信端末１００はユーザの入力に基づいてログイン要求をＳＮＳサーバ１０２に対し送信する。以下、ログイン要求にユーザ識別子及びパスワードが含まれる場合について説明するが、ログイン要求にはユーザ識別子の代わりにユーザ名が含まれていても良い。
【００３７】
ＳＮＳサーバ１０２がログイン要求を受信すると、ユーザ識別子取得部１１１が、受信したユーザ識別子とパスワードを、ユーザ管理データベース１１０に基づき照合する（ステップＳ５０２）。照合の結果、取得したユーザ識別子及びパスワードと、ユーザ管理データベース１１０に格納された所定のユーザ識別子及びパスワードとが一致した場合、ユーザ識別子取得部１１１は当該ユーザ識別子をＳＮＳサイト制御部１０８に送る。ここで、一致したユーザ識別子は“ＵＩＤ００１”（すなわちユーザ名は“たくや”）として説明する。
【００３８】
続くステップＳ５０３において、ＳＮＳサイト制御部１０８は、コメント管理データベース１１４から、ユーザ識別子“ＵＩＤ００１”及び“ＵＩＤ００１”の関連ユーザのコメントに係るコメントデータ（ユーザ名、コメントテキストデータ、投稿時刻等。）を新しいものから順に複数取得する。当該取得したコメントデータを含むコンテンツデータに基づき、ＳＮＳサイト制御部１０８は当該ユーザ識別子ＵＩＤ００１に係るマイページを構築し、通信端末１００に送信し、コメント表示に係る動作が完了する（ステップＳ５０４）。
【００３９】
図６はＳＮＳサイト制御部１０８により制御されたコメントデータ及びその他のコンテンツデータが、通信端末１００に送信され、ユーザ識別子“ＵＩＤ００１”の会員ユーザである“たくや”のマイページ６００として表示される表示例を示す。マイページ６００の上部には“たくや”のアバター、写真又は画像を表示するアバター表示領域６０１と、各種設定を変更するためのメニューアイコンを表示したメニュー領域６０２と、コメントを入力及び送信するためのコメント入力フォーム６０３及び送信ボタン６０４とが設けられる。また、マイページ６００の略中央部には、ユーザ及び関連ユーザが投稿したコメントが表示されるコメント表示領域６０５が設けられる。さらにマイページ６００の下部には、広告主サーバの商品等の広告を表示する広告表示領域６０６とが備えられる。なお表示される位置はこれに限られず、例えば広告表示領域６０６をマイページ６００中の上部や左右に設けてもよい。
【００４０】
メニュー領域６０２に表示された各メニューアイコンは、会員ユーザがクリックすると、それぞれのメニューに対応したウェブページが表示されるように構成されている。例えばプロフィール編集アイコンがクリックされた場合には、ユーザが既に新規ユーザ登録フォームにより送信しユーザ管理データベース１１０に格納されたユーザ情報の一部または全部を変更することができる。他にも各種設定アイコン、過去のコメント履歴を表示するためのコメント履歴アイコン、関連ユーザをリスト表示するための関連ユーザリストアイコン、関連ユーザを登録するための関連ユーザ登録アイコンを図示している。表示されるメニューアイコンはこれに限られず、例えばパスワード変更アイコン、他の会員ユーザを検索するための会員ユーザ検索アイコン等が表示されてもよい。
【００４１】
コメント入力フォーム６０３及び送信ボタン６０４は、会員ユーザが通信端末１００を用いてマイページにコメントを投稿できるように構成されている。コメントは、文字、記号、画像等から構成され、会員ユーザが意見を述べる場合や、ある事柄を説明するための表現手段である。コメント入力フォーム６０３にユーザがコメントを記入後、送信ボタン６０４をクリックすると、当該コメントがＳＮＳサーバ１０２に送信され、図３に示す動作により、コメント管理データベース１１４に当該コメントに係るデータが格納される。
【００４２】
図６の広告表示領域６０６には、広告バナー、テキスト広告等が表示される。広告バナー、テキスト広告等には、広告主サーバが提供する商用ウェブサイトに接続するためのリンク情報、及び広告識別子が関連付けられている。リンク情報は好ましくは、広告主サーバのアドレス（例えば、ＵＲＬ）により構成される。ここで、広告主サーバのＵＲＬは、ｈｔｔｐ：／／ＵＲＬ００１／であるものとして説明する。なお、以下についてはリンク情報が広告主サーバのＵＲＬである場合について説明するが、リンク情報は、商用ウェブサイト上で表示される特定のウェブページに接続するためのリンク情報をさらに含んでいても良い。例えば、リンク情報は、特定の商品を紹介するウェブページのアドレスなどを含んでいても良い。
【００４３】
図６のコメント表示領域６０５には、会員ユーザ“たくや”のコメント６０７及びコメント６０８が、“たくや”のアバター６０９及びアバター６１０と並べて表示される。コメントはこのように会員ユーザのアバターと組み合わせて表示され、どの会員ユーザのコメントであるか容易に判別できる。また会員ユーザ“たくや”のマイページには、たくやの関連ユーザとして登録された“ナミ”のコメント６１１がナミのアバター６１２とともに表示される。これらのコメント６０７、６０８、６１１は、コメント管理データベース１１４から取得されたコメントであり、それぞれ３／２２ ６:３０、３／２１ ２０:３０、３／２１ １８:２０の時刻にされたコメントが、新しいものから順番に表示領域６０５の上から下に並べられて表示される。なお図６では３つのコメントのみを表示しているが、表示されるコメントの総数はこれに限られない。また古いものから順にコメントを表示しないようし、最新のコメントから過去数件が表示されるように構成してもよい。
【００４４】
図７は、“たくや”の関連ユーザとして登録された会員ユーザ“ナミ”のマイページ７００を示す。図６と同様の部分についての説明は省略する。アバター表示領域７０１にはユーザ“ナミ”のアバターが表示され、コメント表示領域７０５には、会員ユーザ“ナミ”のコメントと、“ナミ”の関連ユーザである“たくや”のコメントとが表示される。各会員ユーザのマイページにそれぞれ自己と関連ユーザのコメントが表示されるため、図６及び図７に示すとおり会員ユーザ同士が意思疎通する手段として有用である。
【００４５】
なお、図７では“たくや”の関連ユーザとして“ナミ”のみを例示しているが、その他に“たくや”の関連ユーザとして登録されているユーザのコメント表示領域にも、同様に“たくや”のコメントが表示される。
【００４６】
（１．４．３）自動コメント投稿に係る動作
図８に、自動コメント投稿に係る広告提供システムの動作を示す。自動コメント投稿は、通信端末１００によって報酬対象処理が実行された場合に実行される。まず、ステップＳ８０１において、ＳＮＳサイトに設けられたトップページにおいて、通信端末１００はユーザの入力に基づいてログイン要求をＳＮＳサーバ１０２に対し送信する。以下、ログイン要求にユーザ識別子及びパスワードが含まれる場合について説明するが、ログイン要求にはユーザ識別子の代わりにユーザ名が含まれていても良い。
【００４７】
ＳＮＳサーバ１０２がログイン要求を受信すると、ユーザ識別子取得部１１１は、受信したユーザ識別子とパスワードを、ユーザ管理データベース１１０に基づき照合する（ステップＳ８０２）。照合の結果、取得したユーザ識別子及びパスワードと、ユーザ管理データベース１１０に格納された所定のユーザ識別子及びパスワードとが一致した場合、ユーザ識別子取得部１１１は当該ユーザ識別子をＳＮＳサイト制御部１０８に送る。ここで、一致したユーザ識別子は“ＵＩＤ００１”（すなわちユーザ名は“たくや”）として説明する。ＳＮＳサイト制御部１０８は当該ユーザ識別子ＵＩＤ００１に係るマイページ６００を通信端末１００に送信する（ステップＳ８０３）。
【００４８】
次に、ステップＳ８０４において、通信端末１００は、会員ユーザ“たくや”がマイページ６００の広告表示領域６０６に表示された広告バナー等をクリックした場合に、広告主サーバ１０１へ接続をする。ステップＳ８０５において、商取引処理部１０６は、通信端末１００と通信し商取引処理をする。商取引処理が完了し、当該商取引処理が所定の報酬対象処理に該当する場合、広告主サーバ１０１は、成果通知をＳＮＳサーバ１０２に送信する（ステップＳ８０６）。成果通知には、報酬対象処理に該当する商取引処理を実行した通信端末１００のユーザのユーザ識別子と、商取引処理に係る商品の広告に割り当てられた広告識別子と、商取引処理の実行時刻とが含まれる。当該成果通知により、ＳＮＳサーバ１０２は通信端末１００が報酬対象処理を実行したことを判断できる。
【００４９】
成果通知を受信すると、ステップＳ８０７において、成果報酬制御部１１２は、当該成果通知に係る情報を報酬対象処理管理データベース１１５に格納する。図９に報酬対象処理管理データベース１１５に格納される報酬対象処理管理テーブル９００を示す。報酬対象処理管理テーブル９００の第１列目９０１には、ユーザ識別子、第２列目９０２には広告識別子が格納される。第１列目９０１のユーザ識別子は、成果通知に含まれるユーザ識別子、第２列目９０２の広告識別子は成果通知に含まれる広告識別子である。なお広告識別子とは、商取引処理に係る商品の広告毎に割り当てられ、広告を一意に特定するための識別子である。第３列目９０３には成果通知に含まれる、商取引の実行時刻が格納され、第４列目９０４には、当該ユーザ識別子にかかるユーザにポイントが付与されたか否かの状況が格納される。ここでは、ユーザ識別子が“ＵＩＤ００１”、広告識別子が“ＡＩＤ００１”にかかる広告の成果通知があったものとする。また商取引処理の実行時刻は時刻“３/２２ １０：００”であるものとして説明する。
【００５０】
次にステップＳ８０８において、成果報酬制御部１１２は、報酬対象処理管理データベース１１５を参照して、報酬付与状況が未付与のユーザ識別子及び広告識別子の組合せを取得する。ここでは、報酬付与状況が未付与の組合せとして、ユーザ識別子“ＵＩＤ００１”、広告識別子“ＡＩＤ００１”を取得する。
【００５１】
続くステップＳ８０９において、成果報酬制御部１１２は、成果報酬管理データベース１１６を参照し、報酬付与状況が未付与であった広告識別子“ＡＩＤ００１”に係るポイントを取得する。図１０に成果報酬管理データベース１１６に格納される成果報酬管理テーブル１０００を示す。成果報酬管理テーブル１０００の第１列目１００１には、広告識別子、第２列目１００２にはポイントが格納される。ここでは、成果報酬制御部１１２は、広告識別子“ＡＩＤ００１”にかかるポイントとして５００ポイントを取得する。
【００５２】
続いてステップＳ８１０において成果報酬制御部１１２は、ユーザに対してポイントを付与する。具体的には、成果報酬制御部１１２は、ステップＳ８０９において取得したポイントを、ステップＳ８０８において取得したユーザ識別子“ＵＩＤ００１”の保有ポイントに加算する。すなわち、ユーザ管理データベース１１０に格納されているユーザ識別子“ＵＩＤ００１”のポイントに５００ポイントを付与する。これにより、ユーザ“たくや”の保有するポイントは９３０ポイントとなる。
【００５３】
続いてＳＮＳサイト制御部１０８は、広告管理データベース１１７を参照し、広告識別子“ＡＩＤ００１”に係る情報を取得する（ステップＳ８１１）。図１１に広告管理データベース１１７に格納される広告管理テーブル１１００を示す。広告管理テーブル１１００は、広告識別子と、広告主サーバが提供する商用ウェブサイトに接続するためのリンク情報と、所定の文字列で構成されるコメントテキストデータとを関連付けて格納する。実施の形態１においては、広告管理テーブル１１００の第１列目１１０１には広告識別子が格納され、第２列目１１０２には、リンク情報として広告主サイトのＵＲＬが格納される。第３列目１１０３にはコメントテキストデータが格納される。コメントテキストデータは、少なくとも、広告主サーバが提供する商用ウェブサイトに接続するためのリンク情報を含む。コメントテキストデータは、関連付けられた広告識別子に対応するポイントをさらに含んでいてもよい。すなわちステップＳ８１１では、ＳＮＳサイト制御部１０８は、少なくとも、ステップＳ８０８において取得した広告識別子に対応するコメントテキストデータを取得し、ステップＳ８１３に進む。なお、広告管理データベース１１７に格納される情報はこれに限られず、広告主名称、広告対象商品、広告有効期間等が含まれていてもよく、ＳＮＳサイト制御部１０８は、コメントテキストデータに加えてこれらの情報を取得してもよい。
【００５４】
ここでＳＮＳサイト制御部１０８は、広告管理データベース１１７に、ステップＳ８０８において取得した広告識別子が存在しない場合には処理を終了する（ステップＳ８１２）。ここでは広告識別子“ＡＩＤ００１”が広告管理データベース１１７に格納されているため、ステップＳ８１３に進む。
【００５５】
続くステップＳ８１３において、ＳＮＳサイト制御部１０８は、ユーザ管理データベース１１０を参照し、ステップＳ８０８において取得したユーザ識別子に対応するユーザ名を取得するとともに、計時部１１３を参照して現在時刻“３/２２ １０：１０”を投稿時刻として取得する。そして、ステップＳ８１４において、ＳＮＳサイト制御部１０８は、自動コメントデータをコメント管理データベース１１４に格納する。自動コメントデータは、ステップＳ８０８において取得したユーザ識別子と、ステップＳ８１３において取得したユーザ名及び投稿時刻と、ステップＳ８１１において取得したコメントテキストデータとを含む。図１２に、ＳＮＳサイト制御部１０８によりコメントが格納されたコメント管理テーブル１２００を示す。図１２に示すように、ユーザ識別子“ＵＩＤ００１”にかかるコメントとして、「たくや：キャンペーン中で５００ポイントもらったよ！一緒にポイントゲットしよう♪ ｈｔｔｐ：／／ＵＲＬ００１／」がコメント管理データベース１１４に格納される。このようにして格納されたコメントは、ＳＮＳサイト制御部１０８によって、広告主サーバ１０１からの成果通知の受信を契機として実行されるため、各ユーザがマイページに設けられたコメント入力フォーム６０３への入力及び送信ボタン６０４の押下による、コメントの手動投稿を実行する必要がない。よって、ユーザからは、当該コメントが自動的にユーザ識別子“ＵＩＤ００１”のマイページ及び関連ユーザのマイページのコメント表示領域に投稿・表示されたように見える。
【００５６】
このようにして作成されるコメントがマイページ上で表示される例を図１３及び図１４に示す。図１３は“たくや”のマイページ１３００を示す。マイページ１３００のコメント表示領域１３０５には、コメント管理データベース１１４に格納されたコメント１３０７がたくやのアバター１３０８とともに表示される。作成されたコメントは、コメント１３０９よりも新しいコメントであるため、コメント１３０９よりもコメント表示領域１３１０において上部に表示される。
【００５７】
図１４はたくやの関連ユーザである“ナミ”のマイページ１４００を示す。マイページ１４００のコメント表示領域１４０５には、作成されたコメント１４０７がたくやのアバター１４０８とともに表示される。作成されたコメントは、コメント１４０９よりも新しいコメントであるため、コメント１４０９よりもコメント表示領域１４０５において上部に表示される。“ナミ”はこのコメントを閲覧した場合に、“たくや”が接続した広告主サーバ１０１のリンク情報、及び５００ポイントを取得した事実を知ることができる。またマイページの略中央部のコメント表示領域６０５に表示されるため、広告主サーバ１０１へのリンク情報を見逃すことがない。
【００５８】
（１．５）実施の形態１に係る広告提供システムの効果
このように実施の形態１に係る広告提供システムによれば、ＳＮＳの会員ユーザが広告主サーバが提供する商用ウェブサイトにおいて報酬対象処理に該当する商取引処理を実行した場合、当該ユーザの関連ユーザとして登録されているユーザのマイページに広告主サーバへのリンク情報を含むコメントが、ユーザによる手動投稿なしに作成されて表示される。そのため、会員ユーザが自ら宣伝文句等を記入する必要なく、顧客吸引力のある広告を容易に提供することができる。
【００５９】
より具体的には、広告主サーバ１０１からの成果通知の受信を契機としてＳＮＳサイト制御部１０８がコメント管理データベース１１４に格納するコメントテキストデータには、広告主サーバが提供する商用ウェブサイトに接続するためのリンク情報が含まれている。例えば、コメント中の“ｈｔｔｐ：／／ＵＲＬ００１／”は、広告主サーバ１０１に接続するためのリンク情報であり、通信端末１００によりユーザがクリック可能である。従って、当該コメントをマイページで閲覧した関連ユーザが商用ウェブサイトに接続するためのリンク情報を容易に取得することができるため、当該コメントは広告の役割を果たす。
【００６０】
また、当該コメントに、報酬対象処理となる商取引処理の実行によって会員ユーザが獲得可能なポイントに係る情報（例えば、“５００ポイント”等のポイント数を示す情報）がさらに含まれていることにより、会員ユーザにとって当該リンク情報を利用して広告主サイトに訪れ商取引処理をするインセンティブを働かせることができる。そのため、当該コメントの広告としての顧客吸引力をより向上させることができる。さらに、当該コメントは関連ユーザである“たくや”のコメントとして表示されることから、関連ユーザが広告主サイトを利用していることを認知することができ、広告主サイトにおいて商取引処理をすることに対する関連ユーザの心理的な障壁を低減することができる。よって、当該コメントの広告効果として、口コミと同様の宣伝広告効果を高めることができる。
【００６１】
なお関連ユーザである“ナミ”がマイページ１４００にて表示された自動コメント１４０７のリンク情報をクリックした場合、“ナミ”の通信端末１００が広告主サーバ１０１へ接続され（ステップＳ８０４）、その後のステップＳ８０５〜Ｓ８１３が同様に実行されることになる。この際、図１４で“ナミ”の通信端末１００の広告主サーバ１０１への接続の契機となった自動コメントに対応する会員ユーザである“たくや”に対し、成果報酬制御部１１２が所定の報酬を付与するように構成してもよい。このように関連ユーザの広告主サーバ１０１への接続した場合に自動コメントに対応する会員ユーザに報酬を付与することで、会員ユーザが広告主サーバへ接続するインセンティブをより向上させることができるため、より効果的に広告提供をすることができる。
【００６２】
（１．６）変形例
なお、自動コメント投稿の契機として、広告主サーバ１０１からの成果通知の受信を利用する方法を説明したが、これに限定されない。例えば、上述した実施の形態１では、商用ウェブサイトにおける商取引処理を報酬対象処理とする場合について説明したが、報酬対象処理は、単に広告主サーバ１０１への接続を実行することとしてもよい。この場合、次のような構成としてもよい。まず、広告バナー等のクリックによって通信端末１００が広告主サーバ１０１へ接続した時（ステップＳ８０４）に、成果報酬制御部１１２が、広告バナーに関連付けられている広告識別子を取得する。そして、成果報酬制御部１１２は、報酬対象処理管理データベース１１５に格納してもよい。
また、自動コメント投稿の契機として、広告主サーバ１０１以外の広告仲介業者のサーバ（ＡＳＰサーバ）から受信する成果通知を利用してもよい。なお、ＡＳＰサーバを仲介する場合には、広告バナーがクリックされると通信端末１００は一旦ＡＳＰサーバに接続され、ＡＳＰサーバにおいてセッションＩＤが付与される。セッションＩＤはトラッキングのために用いられる。その後、通信端末１００は広告主サーバ１０１に接続（リダイレクト）される。広告主サーバ１０１からの成果通知は、セッションＩＤとともにＡＳＰサーバに送信される。ＡＳＰサーバが当該成果通知及びセッションＩＤを受信すると、セッションＩＤからユーザを特定し、特定したユーザにポイントが付与されることになる。
【００６３】
なお、コメント表示領域１３０５、１４０５等で表示されるコメントはアバターとともに表示される例を示したがこれに限られず、コメントのみが表示されるようにしてもよい。
【００６４】
なお、コメント中、“たくや”は、当該コメントを投稿したユーザのユーザ識別子に係るユーザ情報のひとつであり、他の例としては、ユーザの氏名等でもよい。またコメント中の“５００ポイント”は、広告主サーバに接続要求をした場合に付与されるポイント数を表し、他の値でもよい。
【００６５】
なお、上記ではポイント付与するものとして説明したが、これに限られず、商品、サービスや現金自体を付与することをユーザ管理データベース１００に記憶してもよい。あるいは、ＳＮＳサイトにおいてはアバターを装飾する画像データ等も交換価値があり、このような画像データを付与することをユーザ管理データベース１００に記憶してもよい。
【００６６】
なお、ステップＳ８０４における広告主サーバへの接続は、ユーザ“たくや”のマイページ上の広告バナーがクリックされたことにより実行されたが、これに限られず、ＳＮＳサイト上のいずれかのページに設置された広告バナーがクリックされたことにより広告主サーバへの接続が実行されるように構成してもよい。
また、コメントテキストデータに予めリンク情報が含まれている場合について説明したが、これには限られない。例えば、次のような構成としてもよい。まず、広告管理テーブル１１００には、リンク情報が含まれていないコメントテキストデータを格納しておく。ＳＮＳサイト制御部１０８は、当該コメントテキストデータと、リンク情報との双方を広告管理テーブル１１００から取得し、取得したコメントテキストデータにリンク情報を加える修正を行う。そして、ＳＮＳサイト制御部１０８は、修正したコメントテキストデータをコメント管理データベース１１４に格納する。
【００６７】
（２）実施の形態２
（２．１）ＳＮＳサーバ１５０２の構成
以下、本発明の実施の形態２について説明する。図１５は本発明の実施の形態２の構成を示すブロック図である。以下、実施の形態１と同一の構成については同一の符号を付し、説明は省略する。実施の形態２に係る広告提供システムは、ＳＮＳサーバ１５０２が参加ユーザ管理データベース１５０１を備える。また、実施の形態２では、広告バナー、テキスト広告等には、広告主サーバが提供する商用ウェブサイトに接続するためのリンク情報ではなく、後述する中間ページに接続するためのリンク情報が関連付けられており、自動コメント投稿を実行するか否かをユーザに決定させる。また、実施の形態２では、通常ポイント及び追加ポイントの２種類を用意しており、所定条件が達成された場合に、ユーザに対して追加ポイントがさらに付与される。また、実施の形態２では、コメントテキストデータを２種類用意しており、所定条件の達成前と達成後とで、自動コメント投稿に用いられる文面を異ならせる。
【００６８】
参加ユーザ管理データベース１５０１は、成果通知に含まれるユーザ識別子を格納し、ユーザ識別子毎に、所定の広告識別子についての自動コメント投稿を実行するか否かを管理するために用いられる。
【００６９】
図１６に、実施の形態２に係る成果報酬管理データベース１１６に格納される成果報酬管理テーブル１６００を示す。成果報酬管理テーブル１６００の第１列目１６０１には広告識別子が格納され、第２列目１６０２には通常ポイント、第３列目１６０３には追加ポイントが夫々格納される。実施の形態２にかかるポイントは、報酬対象処理に該当する商取引処理を実行した通信端末１００のユーザ数（以下、「参加ユーザ数」という。）に応じて変更され、具体的には広告主サイトで会員登録等の報酬対象処理に参加した参加ユーザ数が一定数以上となった場合に、参加ユーザのそれぞれに対して、通常ポイントに加えて追加ポイントが付与される。当該成果報酬管理テーブル１６００はシステム動作時にあらかじめ格納されている。
【００７０】
図１７に、実施の形態２に係る広告管理データベース１１７に格納される広告管理テーブル１７００を示す。広告管理テーブル１７００は、広告識別子と、広告主サーバが提供する商用ウェブサイトに接続するためのリンク情報と、開始時期及び終了時期と、規定参加ユーザ数及び参加済ユーザ数と、所定の文字列で構成される達成前コメントテキストデータ及び達成後コメントテキストデータとを関連付けて格納する。実施の形態２においては、広告管理テーブル１７００の第１列目１７０１には広告識別子が格納され、第２列目１７０２には、リンク情報として広告主サイトのＵＲＬが格納される。第３列目１７０３には開始時期が格納され、第４列目１７０４には、終了時期が格納される。開始時期および終了時期により指定される期間は、通常ポイント及び追加ポイントを付与する時期的条件である。第５列目１７０５には追加ポイントを付与する条件となる規定の参加ユーザ数（以下「規定参加ユーザ数」という。）が格納され、第６列目１７０６には、現時点における参加ユーザ数を示す参加済ユーザ数が格納される。第７列目１７０７には、達成前コメントテキストデータが格納され、第８列目１７０８には、達成後コメントテキストデータが格納される。達成前コメントテキストデータは、追加ポイントを付与する条件が満たされる前（達成前）に自動コメント投稿に用いられ、達成後コメントテキストデータは、追加ポイントを付与する条件が満たされた後（達成後）に自動コメント投稿に用いられる。
【００７１】
図１８に、参加ユーザ管理データベース１５０１に格納される参加ユーザ管理テーブル１８００を示す。参加ユーザ管理テーブル１８００の第１列目１８０１には広告識別子が格納され、第２列目１８０２には成果通知に含まれるユーザ識別子が格納される。第３列目１８０３には、ＳＮＳサイト制御部１０８による自動コメント投稿を実行するか否かの諾否を示す情報が格納される。テーブル中、“承諾”は自動コメント投稿を承諾することを意味し、“拒否”は自動コメント投稿を拒否することを意味する。第４列目１８０４には追加ポイントの付与状況が格納される。
【００７２】
（２．２）広告提供システムの動作
次に、実施の形態２における広告提供システムについて、図１９及び図２１によりその動作を説明する。
【００７３】
（２．２．１）通常ポイントの付与及び自動コメント投稿に係る広告提供システムの動作
実施の形態２における広告提供システムのポイントの付与にかかる動作を図１９に示す。なお図１９において実施の形態１と同一の動作である部分は同一の符号を付し、説明を省略する。
【００７４】
ステップＳ１９０４において、通信端末１００は、会員ユーザによる広告バナー等のクリックにより、中間ページへの接続要求を送信する。この際、広告バナーに係る広告識別子も送信される。接続要求を受信すると、ＳＮＳサーバ１５０２は、会員ユーザに自動コメント投稿を実行するか否かの問合せのために、通信端末１００に対し中間ページデータを送信する（ステップＳ１９０５）。中間ページは、広告バナー、テキスト広告等が表示されたＳＮＳサイト内の所定ウェブページと、広告主サーバ１０１が提供する商用ウェブサイトの所定ウェブページとの中間に表示されるため、中間ページと命名している。
【００７５】
ステップＳ１９０６において、通信端末１００のディスプレイに中間ページが表示される。表示される中間ページの表示例を図２０に示す。中間ページ２０００には少なくとも、チェックボックス領域２００１と、広告主サーバ１０１への移動ボタン２００２とが設けられている。移動ボタン２００２には、広告主サーバ１０１へのリンク情報が関連付けられており、クリックにより通信端末１００を広告主サーバ１０１へ接続させる。チェックボックス領域２００１には、自動コメント投稿を承諾するか否かのチェックボックスが設けられる。また広告識別子に基づき、当該広告に係るポイント付与の条件も表示する。“承諾する”のチェックボックスがクリックされチェック記号が入力されることで自動コメント投稿を承諾する意思表示となり、“承諾しない”のチェックボックスがクリックされチェック記号が入力されることで、自動コメント投稿を拒否する意思表示となる。図２０に示す中間ページ２０００では、自動コメント投稿を“承諾する”のチェックボックスがクリックされ、選択状態になっていることを示している。なお、中間ページには、“承諾する”のチェックボックスのみを設けておいてもよい。
【００７６】
その後ステップＳ１９０７において、通信端末１００は、会員ユーザが通信端末１００を用いて移動ボタン２００２をクリックすると、ＳＮＳサーバ１５０２に、広告識別子、ユーザ識別子、及び自動コメント投稿の諾否の情報を送信する。次にステップＳ１９０８において、成果報酬制御部１１２は、参加ユーザ管理データベース１５０１に、広告識別子、ユーザ識別子、自動コメント投稿諾否、及び追加ポイント付与状況を格納する。ここでは広告識別子、ユーザ識別子、コメント投稿諾否としてそれぞれ、“ＡＩＤ００１”、“ＵＩＤ００１”、“承諾”が格納される。また追加ポイントは現時点では付与されていないため“未付与”が格納される。なお、仮にステップＳ１９０７においてコメント投稿諾否を“承諾しない”とした場合には、コメント投稿諾否の列には“拒否”が格納されることになる。続いて、通信端末１００は、広告主サーバ１０１に接続される（ステップＳ１９０９）。広告主サーバ１０１に接続された後、ステップＳ１９１０にて商取引処理がされ、ステップＳ１９１１にて成果通知が広告主サーバから直接または図示しないＡＳＰサーバを介してＳＮＳサーバ１５０２に送信される。
【００７７】
成果通知を受信するとステップＳ１９１２において、成果報酬制御部１１２は、当該成果通知に係る情報を報酬対象処理管理データベース１１５に格納する。以下、当該成果通知には商取引処理の実行時刻として時刻“ｔ１”が含まれているものとして説明する。
【００７８】
次にステップＳ１９１３において、成果報酬制御部１１２は、報酬対象処理管理データベース１１５を参照して、報酬付与状況が未付与のユーザ識別子及び広告識別子の組合せを取得する。ここでは、報酬付与状況が未付与の組合せとして、ユーザ識別子“ＵＩＤ００１”、広告識別子“ＡＩＤ００１”を取得する。
【００７９】
続くステップＳ１９１４において、成果報酬制御部１１２は、成果報酬管理データベース１１６を参照し、報酬付与状況が未付与であった広告識別子“ＡＩＤ００１”の通常ポイントを取得する。ここでは、成果報酬制御部１１２は、広告識別子“ＡＩＤ００１”にかかるポイントとして５００ポイントを取得する。
【００８０】
続いてステップＳ１９１５において成果報酬制御部１１２は、ユーザに対してポイントを付与する。具体的には、成果報酬制御部１１２は、ステップＳ１９１４において取得したポイントを、成果通知のあったユーザ識別子“ＵＩＤ００１”の保有ポイントに加算する。すなわち、ユーザ管理データベース１１０に格納されているユーザ識別子“ＵＩＤ００１”のポイントに５００ポイントを付与する。これにより、ユーザ“たくや”の保有するポイントは９３０ポイントとなる。
【００８１】
続いてＳＮＳサイト制御部１０８は、広告管理データベース１１７を参照し、広告識別子“ＡＩＤ００１”に係る情報を取得する（ステップＳ１９１６）。ここでは、ＳＮＳサイト制御部１０８は、ステップＳ１９１３において取得した広告識別子に対応する開始時期及び終了時期を取得し、ステップＳ１９１８へ進む。
【００８２】
ここでＳＮＳサイト制御部１０８は、広告管理データベース１１７に、ステップＳ１９１３において取得した広告識別子が存在しない場合には処理が終了する（ステップＳ１９１６）。ここでは広告識別子“ＡＩＤ００１”が広告管理データベース１１７に格納されているため、ステップＳ１９１７に進む。
【００８３】
続くステップＳ１９１８において、ＳＮＳサイト制御部１０８は、報酬対象処理管理データベース１１５を参照し、商取引処理の実行時刻を取得する。ここでは時刻“ｔ１”を取得する。続いてＳＮＳサイト制御部１０８は、取得した実行時刻“ｔ１”と、ステップＳ１９１５にて取得した広告識別子“ＡＩＤ００１”に係る情報のうち、開始時期と終了時期とを比較する（ステップＳ１９１９）。“ｔ１”が開始時期と終了時期との間であればステップＳ１９２０に進み、開始時期より前または終了時期よりも後であれば処理が終了する。ここでは“ｔ１”が開始時期と終了時期との間であるとして説明する。
【００８４】
次にステップＳ１９２０において、ＳＮＳサイト制御部１０８は、広告管理データベース１１７の情報を更新し、またコメントテキストデータの取得をする。具体的にはＳＮＳサイト制御部１０８は、広告管理データベース１１７の広告管理テーブル１７００における参加済ユーザ数に１を加算しテーブルを更新する。すなわち、ここでは広告識別子“ＡＩＤ００１”の参加済ユーザ数４２３を、４２４にして更新する。さらにＳＮＳサイト制御部１０８は、更新した参加済ユーザ数と規定参加ユーザ数とを比較する。比較の結果、参加済ユーザ数が規定参加ユーザ数未満であれば第７列目１７０７の達成前コメントテキストデータを取得する。この際達成前コメントテキストデータ中の“（規定参加ユーザ数-参加済ユーザ数)”の部分は、規定参加ユーザ数から参加済ユーザ数を減算した数値に置換されて取得する。参加済ユーザ数が規定参加ユーザ数以上であれば、ＳＮＳサイト制御部１０８は、第８列目１７０８の達成後コメントテキストデータを取得する。ここでは、参加済ユーザ数が４２４人であり規定登録ユーザ数５００人に満たないため、第７列目１７０７のコメントテキストデータである、“キャンペーンで５００ポイントもらった！あと７６人の登録でさらにポイントをおまけ！キャンペーン期間は５／１０ ２２：００まで！いっしょにポイントゲットしよう♪  ｈｔｔｐ：／／ＵＲＬ００１／”を取得することになる。
【００８５】
次にステップＳ１９２１において、ＳＮＳサイト制御部１０８は、ステップＳ１９０８において参加ユーザ管理データベース１５０１に格納された自動コメント投稿諾否情報に基づき、自動コメント投稿が承諾されている場合にはＳ１９２２に進む。一方拒否されている場合には処理が完了する。次にステップＳ１９２２において、ＳＮＳサイト制御部１０８は、ユーザ管理データベース１１０を参照し、ユーザ識別子に対応するユーザ名を取得するとともに、計時部１１３を参照し現在の時刻を投稿時刻として取得する。最後に、ステップＳ１９２３において、ＳＮＳサイト制御部１０８は、ユーザ識別子と、ユーザ名と、投稿時刻と、ステップＳ１９１９で取得したコメントテキストデータとを含む自動コメントデータをコメント管理データベース１１４に格納する。当該コメントテキストデータを含む自動コメントデータをコメント管理データベースに格納することにより、ユーザ“たくや”及びその関連ユーザのマイページに、“キャンペーンで５００ポイントもらった！あと７６人の登録でさらに３００ポイントをおまけ！キャンペーン期間は５／１０ ２２：００まで！いっしょにポイントゲットしよう♪  ｈｔｔｐ：／／ＵＲＬ００１／”が表示されることになる。
【００８６】
（２．２．２）追加ポイントの付与に係る動作
続いて実施の形態２にかかる広告提供システムにおける、追加ポイントの付与に係る動作を図２１に示す。当該動作は全ての広告識別子について実行される。以下では広告識別子“ＡＩＤ００１”についての動作を例示するが、他の広告識別子についても同様に実行される。また当該動作はＳＮＳサーバ１５０２において定期的に繰り返し実行される。
【００８７】
はじめにステップＳ２１０１において、成果報酬制御部１１２は、広告管理データベース１１７に格納されている広告識別子“ＡＩＤ００１”について情報を取得する。具体的には、続いてステップＳ２１０２において、成果報酬制御部１１２は、取得した当該情報に基づき、各広告識別子にかかる広告の参加済ユーザ数と規定参加ユーザ数とを比較し、参加済ユーザ数が規定参加ユーザ数以上であるか否かを判定する。比較の結果、参加済ユーザ数が規定参加ユーザ数以上の場合、ステップＳ２１０３に進む。参加済ユーザ数が規定参加ユーザ数未満の場合、ステップＳ２１０１に戻り、他の広告識別子について同様の処理を実行する。
【００８８】
次にＳ２１０３において、成果報酬制御部１１２は、参加ユーザ管理データベース１５０１を参照し、広告識別子“ＡＩＤ００１”に関して、追加ポイントの付与状況を取得する。続くステップＳ２１０４において、成果報酬制御部１１２は、追加ポイントが未付与のユーザが存在するかを判定し、存在する場合はステップＳ２１０５に進む。一方、追加ポイントが未付与のユーザが存在しない場合は、ステップＳ２１０１に戻り、他の広告識別子について同様の処理を実行する。参加ユーザ管理データベース１５０１の参加ユーザ管理テーブル１８００に基づくと、ＡＩＤ００１に関し、“ＵＩＤ００１”と、“ＵＩＤ００２”のユーザについて追加ポイントが未付与であるため、ステップＳ２１０５に進む。
【００８９】
続くステップＳ２１０５において、成果報酬制御部１１２は、成果報酬管理データベース１１６を参照し、報酬付与状況が未付与であった広告識別子“ＡＩＤ００１”の追加ポイントを取得する。成果報酬制御部１１２は、広告識別子“ＡＩＤ００１”にかかる追加ポイントとして、成果報酬管理テーブル１６００の第３列目１６０３に基づき、３００ポイントを取得する。
【００９０】
続いてステップＳ２１０６において成果報酬制御部１１２は、ユーザに対して追加ポイントを付与する。具体的には、成果報酬制御部１１２は、ステップＳ２１０５において取得した追加ポイントを、成果通知のあったユーザ識別子“ＵＩＤ００１”及び“ＵＩＤ００２”の保有ポイントに加算する。すなわち、ユーザ管理データベース１１０に格納されているユーザ識別子“ＵＩＤ００１”及び“ＵＩＤ００２”のポイントに追加ポイントとして３００ポイントをそれぞれ付与する。
【００９１】
次にステップＳ２１０７において成果報酬制御部１１２は、追加ポイントを付与したユーザ識別子に関し、参加ユーザ管理データベース１５０１における報酬付与状況を“付与”に更新する。更新された参加ユーザ管理テーブル２２００を図２２に示す。図２２に示すとおり、第４列目２２０４の追加報酬付与状況が更新される。
【００９２】
ステップＳ２１０７が完了するとステップＳ２１０１に戻り以下同様の処理が各広告識別子について定期的に繰り返される。
【００９３】
（２．３）実施の形態２にかかる広告提供システムの効果
このように、実施の形態２にかかる広告提供システムは、規定参加ユーザ数と参加済ユーザ数との差分、すなわち規定参加ユーザ数に到達するまでの残り人数や、参加済ユーザ数が規定参加ユーザ数に到達した場合の追加ポイントがコメントに記載される。そのため、口コミと同様の効果に加え、他ユーザからの広告主サイトへの注目度をユーザが定量的に把握することができるとともに、一定の条件を満たした場合に追加で獲得できるポイント数を得ることができるため、より一層顧客吸引力を高めることができる。
【００９４】
一方、参加ユーザ管理データベース１５０１に格納された情報に基づき自動コメント投稿が拒否されていた場合には、コメントを表示せずに処理が終了する。
【００９５】
このように、自動コメント投稿を実行するか否かの諾否を問合せることで、ユーザが自己の商取引にかかる情報を開示したくない場合に自動コメント投稿を拒否でき、ユーザがプライバシーを保護したい場合に有用である。
【００９６】
なお、上述した実施の形態２では、図１６に示すように、成果報酬管理テーブル１６００には広告識別子と、通常ポイントと、追加ポイントとが関連付けて格納されていたが、これに限るものではない。例えば、１つの広告に対し、通常ポイント用の第一の広告識別子と、追加ポイント用の第二の広告識別子とを割り当てておき、成果報酬管理テーブル１６００には、一つの広告識別子に対し、一種類のポイントのみを関連付けておく。そして、成果報酬制御部１１２は、通常ポイント付与時には第一の広告識別子に関連付けられたポイントを付与すべきポイントとして取得し、追加ポイント付与時には第二の広告識別子に関連付けられたポイントを付与すべきポイントとして取得するようにしてもよい。
【００９７】
（３）実施の形態３
（３．１）実施の形態３にかかる広告提供システムの構成
以下、本発明の実施の形態３について説明する。本実施の形態３では、通信端末１００が、ＳＮＳサーバ１０２を経由せずに広告主サーバ１０１に接続し、広告主サーバ１０１が提供する商用ウェブサイトにおいて報酬対象処理に該当する商取引処理を実行した場合について説明する。具体的には、本実施の形態３における広告提供システムでは、商用ウェブサイトが、ＳＮＳサーバ１５０２へのリンク情報が含まれた商品等購入ウェブページによって構成される。その他の構成は本発明の実施の形態１と同一であるため説明を省略する。
【００９８】
（３．２）実施の形態３にかかる広告提供システムの動作
本実施の形態３における広告提供システムについて、図２４によりその動作を説明する。ステップＳ２４０１において、通信端末１００は、会員ユーザの入力に基づき広告主サーバ１０１に接続し、所定の商品等購入ウェブページを表示する。次に、広告主サーバ１０１の商取引処理部１０６は、通信端末１００と商取引処理を実行する（ステップＳ２４０２）。商取引処理が完了すると、広告主サーバ１０１は、ログイン確認ページを通信端末１００に送信する（ステップＳ２４０３）。ログイン確認ページは、例えば、ＳＮＳサイトへのログインに必要なログイン情報（ユーザ識別子、ユーザ名、又はメールアドレス等及びパスワード）を入力するログイン情報入力領域と、自動コメント投稿の諾否をユーザに選択させるチェックボックス領域と、ＳＮＳサーバ１０２へのリンク情報が関連付けられた移動ボタンとが設けられる。ここで広告主サーバ１０１は広告識別子“ＡＩＤ００１”にて特定される広告に係る広告主サーバであるとする。
【００９９】
続いてステップＳ２４０４において、通信端末１００は、ユーザによる移動ボタンのクリックに基づきＳＮＳサーバ１０２へ接続すると、続くステップＳ２４０５において、ＳＮＳサイト制御部１０８は、ユーザ管理データベース１１０に基づき、ＳＮＳサーバ１０２に接続をした通信端末１００のユーザ識別子を取得する。ここで接続をした通信端末１００のユーザは会員ユーザ“たくや”であるとする。
【０１００】
入力されたログイン情報（ユーザ識別子、ユーザ名、又はメールアドレス等及びパスワード）が正しければ、ステップＳ８０７に進む。ステップＳ８０７以降の処理は、実施の形態１におけるステップＳ８０７〜８１４と同様である。
【０１０１】
（３．３）実施の形態３にかかる広告提供システムの効果
このように、広告主サーバが提供する商品等購入ウェブページＳＮＳサーバ１０２へのリンク情報を設け、ＳＮＳサーバ１０２のＳＮＳサイト制御部１０８は、当該リンク情報を用いたＳＮＳサーバ１０２への接続を契機として自動コメント投稿する。これにより、会員ユーザがＳＮＳサーバ１０２を介さずに直接広告主サーバ１０１に訪れて商取引処理を実行した場合であっても、ＳＮＳサーバ１０２が自動コメント投稿を実行することができる。そのため、ＳＮＳサイト内に設けられた広告主サーバ１０１へのリンク情報を利用して商取引処理を行ったユーザ以外のユーザも、自動コメント投稿実施の対象とすることができるため、自動コメント投稿の数を増加させることができ、広告の宣伝広告効果をさらに高めることができる。
【０１０２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップ等に含まれる機能等は論理的に矛盾しないように再配置可能であり、複数の手段やステップ等を１つに組み合わせたり、或いは分割したりすることが可能である。
【符号の説明】
【０１０３】
１００  通信端末
１０１  広告主サーバ
１０２  ＳＮＳサーバ
１０３  インターネット
１０４  広告主サイトコンテンツデータベース
１０５  広告主サイト制御部
１０６  商取引処理部
１０７  ＳＮＳサイトコンテンツデータベース
１０８  ＳＮＳサイト制御部
１０９  ユーザ情報制御部
１１０  ユーザ管理データベース
１１１  ユーザ識別子取得部
１１２  成果報酬制御部
１１３  計時部
１１４  コメント管理データベース
１１５  報酬対象処理管理データベース
１１６  成果報酬管理データベース
１１７  広告管理データベース
２００  ユーザ管理テーブル
２０１〜２０７  第１列目〜第７列目
４００  コメント管理テーブル
４０１〜４０５  第１列目〜第５列目
６００、７００、１３００、１４００  マイページ
６０１、７０１、１３０１、１４０１  アバター表示領域
６０２、７０２、１３０２、１４０２  メニュー領域
６０３、７０３、１３０３、１４０３  コメント入力フォーム
６０４、７０４、１３０４、１４０４  送信ボタン
６０５、７０５、１３０５、１４０５  コメント表示領域
６０６、７０６、１３０６、１４０６  広告表示領域
６０７、７０８、１３１１、１３０７、１３０９、１４０７  コメント
６０９、７１０、１３１２、１３０８、１３１０、１４０８  アバター
９００  報酬対象処理管理テーブル
９０１〜９０４  第１列目〜第４列目
１０００  成果報酬管理テーブル
１００１〜１００２  第１列目〜第２列目
１１００  広告管理テーブル
１１０１〜１１０３  第１列目〜第３列目
１２００  コメント管理テーブル
１５０１  参加ユーザ管理データベース
１６００  成果報酬管理テーブル
１６０１〜１６０３  第１列目〜第３列目
１７００  広告管理テーブル
１７０１〜１７０８  第１列目〜第８列目
１８００  参加ユーザ管理テーブル
１８０１〜１８０４  第１列目〜第４列目
２０００  中間ページ
２００１  チェックボックス領域
２００２  リンク情報
２２００  参加ユーザ管理テーブル
２３００  コメント管理テーブル
【図１】
2014075141.tif 000003
【図２】
2014075141.tif 000004
【図３】
2014075141.tif 000005
【図４】
2014075141.tif 000006
【図５】
2014075141.tif 000007
【図８】
2014075141.tif 000008
【図９】
2014075141.tif 000009
【図１０】
2014075141.tif 000010
【図１１】
2014075141.tif 000011
【図１２】
2014075141.tif 000012
【図１５】
2014075141.tif 000013
【図１６】
2014075141.tif 000014
【図１７】
2014075141.tif 000015
【図１８】
2014075141.tif 000016
【図１９】
2014075141.tif 000017
【図２０】
2014075141.tif 000018
【図２１】
2014075141.tif 000019
【図２２】
2014075141.tif 000020
【図２３】
2014075141.tif 000021
【図２４】
2014075141.tif 000022
【図６】
2014075141.tif 000023
【図７】
2014075141.tif 000024
【図１３】
2014075141.tif 000025
【図１４】
2014075141.tif 000026
【手続補正書】
【提出日】平成25年12月16日(2013.12.16)
【手続補正１】
【補正対象書類名】特許請求の範囲
【補正対象項目名】全文
【補正方法】変更
【補正の内容】
【特許請求の範囲】
【請求項１】
商用ウェブサイトを提供する第一のサーバと第一の通信端末とに接続されるサーバであって、
前記第一の通信端末から受信した第一のユーザ識別子と、前記第一のサーバに接続する第二の通信端末から受信した第二のユーザ識別子とを関連付けて記憶するユーザ管理データベースと、
コンテンツデータを前記第一の通信端末に送信することにより、前記コンテンツデータを前記第一の通信端末に設けられた表示部に表示させる制御部と、
前記第一のサーバから、前記第二の通信端末が前記第一のサーバにより提供される前記商用ウェブサイトにおいて所定の処理を実行した場合に送信され、前記第二のユーザ識別子を含む通知を受信する受信部とを備えており、
前記制御部は、
前記受信部が前記通知を受信した場合に、前記通知に含まれる前記第二のユーザ識別子に関連付けられている前記第一のユーザ識別子を特定し、特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを前記第二の通信端末に問合わせ、該問合せの結果、前記コメントデータを前記第一の通信端末に対して送信することが許可されている場合に、前記第一の通信端末に対して前記コメントデータを前記コンテンツデータとして送信し、
さらに成果報酬を制御する成果報酬制御部を備え、
前記ユーザ管理データベースは、前記第二のユーザ識別子と、前記第二のユーザ識別子に対して付与された前記成果報酬とを関連付けて記憶しており、
前記成果報酬制御部は、前記通知が受信された場合に、前記第二のユーザ識別子に対して付与された前記成果報酬に対して第一の成果報酬を加算することを特徴とするサーバ。
【請求項２】
前記成果報酬制御部はさらに、
所定条件が満たされた場合に、前記第二のユーザ識別子に対して付与された前記成果報酬に対して第二の成果報酬をさらに加算することを特徴とする、請求項１に記載のサーバ。
【請求項３】
前記所定条件は、前記商用ウェブサイトにおいて前記所定の処理を実行した通信端末の合計数が所定数に到達したことであることを特徴とする請求項２に記載のサーバ。
【請求項４】
前記所定条件は、前記第一の通信端末に対して送信された前記コメントデータに含まれる前記リンク情報に基づいて前記第一の通信端末が前記商用ウェブサイトに接続し、かつ、前記第一の通信端末が前記商用ウェブサイトにおいて所定の処理を実行したことであることを特徴とする請求項２に記載のサーバ。
【請求項５】
前記コメントデータは、マイページのコメント表示領域に表示されることを特徴とする、請求項１乃至４のいずれか一項に記載のサーバ。
【請求項６】
前記コメントデータは、前記マイページのユーザとは異なる所定のユーザのマイページのコメント表示領域に表示されることを特徴とする、請求項５に記載のサーバ。
【請求項７】
前記コメント表示領域に複数のコメントが表示される場合、新しいコメントから順番に上から下に並べて表示されることを特徴とする、請求項５又は６に記載のサーバ。
【請求項８】
前記コメント表示領域に複数のコメントが表示される場合、最新のコメントから過去数件のコメントが表示されることを特徴とする、請求項５乃至７のいずれか一項に記載のサーバ。
【請求項９】
前記マイページは、コメント履歴を表示するためのコメント履歴アイコンを含むことを特徴とする、請求項５乃至８のいずれか一項に記載のサーバ。
【請求項１０】
前記マイページは、コメント入力フォームを含み、前記コメント入力フォームは前記コメント表示領域よりも上部に表示されることを特徴とする、請求項５乃至９のいずれか一項に記載のサーバ。
【請求項１１】
商用ウェブサイトを提供する第一のサーバと、
第二のサーバと、
前記第二のサーバに接続する第一の通信端末と、
前記第一のサーバに接続する第二の通信端末とを備えた広告提供システムであって、
前記第二のサーバは、
前記第一の通信端末から受信した第一のユーザ識別子と、前記第二の通信端末から受信した第二のユーザ識別子とを関連付けて記憶するユーザ管理データベースと、
コンテンツデータを前記第一の通信端末に送信することにより、前記コンテンツデータを前記第一の通信端末に設けられた表示部に表示させる制御部と、
を備えており、
前記第一のサーバは、前記第二の通信端末が前記第一のサーバにより提供される前記商用ウェブサイトにおいて所定の処理を実行した場合に、前記第二のサーバに対して前記第二のユーザ識別子を含む通知を送信し、
前記制御部が、前記通知を受信した場合に、前記通知に含まれる前記第二のユーザ識別子に関連付けられている前記第一のユーザ識別子を特定し、特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを前記第二の通信端末に問合わせ、該問合せの結果、前記コメントデータを前記第一の通信端末に対して送信することが許可されている場合に、前記第一の通信端末に対して前記コメントデータを前記コンテンツデータとして送信し、
前記第二のサーバはさらに成果報酬を制御する成果報酬制御部を備え、
前記ユーザ管理データベースは、前記第二のユーザ識別子と、前記第二のユーザ識別子に対して付与された前記成果報酬とを関連付けて記憶しており、
前記成果報酬制御部は、前記通知が受信された場合に、前記第二のユーザ識別子に対して付与された前記成果報酬に対して第一の成果報酬を加算することを特徴とする広告提供システム。
【請求項１２】
商用ウェブサイトを提供する第一のサーバと、第二のサーバと、前記第二のサーバに接続する第一の通信端末と、前記第一のサーバに接続する第二の通信端末とを備えた広告提供システムにおける広告提供方法であって、
前記第二のサーバが、前記第一の通信端末から受信した第一のユーザ識別子と、前記第二の通信端末から受信した第二のユーザ識別子とを関連付けて記憶するステップと、
前記第一のサーバが、前記第二の通信端末が前記第一のサーバにより提供される前記商用ウェブサイトにおいて所定の処理を実行した場合に、前記第二のサーバに対して前記第二のユーザ識別子を含む通知を送信するステップと、
前記第二のサーバが、前記通知を受信した場合に、前記通知に含まれる前記第二のユーザ識別子に関連付けられている前記第一のユーザ識別子を特定するステップと、
前記第二のサーバが、特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを前記第二の通信端末に問合わせ、該問合せの結果、前記コメントデータを前記第一の通信端末に対して送信することが許可されている場合に、前記第一の通信端末に対して前記コメントデータを、コンテンツデータとして送信し、前記コメントデータを前記第一の通信端末に設けられた表示部に表示させるステップと、
前記第二のサーバが、成果報酬を制御するステップと、を含み、
前記記憶するステップはさらに、前記第二のユーザ識別子と、前記第二のユーザ識別子に対して付与された前記成果報酬とを関連付けて記憶し、
前記第二のサーバが前記通知を受信した場合に、前記第二のユーザ識別子に対して付与された前記成果報酬に対して第一の成果報酬を加算することを特徴とする広告提供方法。
【請求項１３】
商用ウェブサイトを提供する第一のサーバと第一の通信端末とに接続されるサーバによる広告提供方法であって、
前記第一の通信端末から受信した第一のユーザ識別子と、前記第一のサーバに接続する第二の通信端末から受信した第二のユーザ識別子とを関連付けて記憶するステップと、
前記第一のサーバから、前記第二の通信端末が前記第一のサーバにより提供される前記商用ウェブサイトにおいて所定の処理を実行した場合に送信され、前記第二のユーザ識別子を含む通知を受信するステップと、
前記通知を受信した場合に、前記通知に含まれる前記第二のユーザ識別子に関連付けられている前記第一のユーザ識別子を特定するステップと、
特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを前記第二の通信端末に問合わせ、該問合せの結果、前記コメントデータを前記第一の通信端末に対して送信することが許可されている場合に、前記第一の通信端末に対して前記コメントデータを、コンテンツデータとして送信し、前記コメントデータを前記第一の通信端末に設けられた表示部に表示させるステップと、
成果報酬を制御するステップと、を含み、
前記記憶するステップはさらに、前記第二のユーザ識別子と、前記第二のユーザ識別子に対して付与された前記成果報酬とを関連付けて記憶し、
前記通知を受信した場合に、前記第二のユーザ識別子に対して付与された前記成果報酬に対して第一の成果報酬を加算することを特徴とするサーバによる広告提供方法。
【手続補正２】
【補正対象書類名】明細書
【補正対象項目名】０００７
【補正方法】変更
【補正の内容】
【０００７】
上記課題を解決するために本発明に係る広告提供システムは、商用ウェブサイトを提供する第一のサーバと、第二のサーバと、前記第二のサーバに接続する第一の通信端末と、前記第一のサーバに接続する第二の通信端末とを備えた広告提供システムであって、前記第二のサーバは、前記第一の通信端末から受信した第一のユーザ識別子と、前記第二の通信端末から受信した第二のユーザ識別子とを関連付けて記憶するユーザ管理データベースと、コンテンツデータを前記第一の通信端末に送信することにより、前記コンテンツデータを前記第一の通信端末に設けられた表示部に表示させる制御部と、を備えており、前記第一のサーバは、前記第二の通信端末が前記第一のサーバにより提供される前記商用ウェブサイトにおいて所定の処理を実行した場合に、前記第二のサーバに対して前記第二のユーザ識別子を含む通知を送信し、前記制御部が、前記通知を受信した場合に、前記通知に含まれる前記第二のユーザ識別子に関連付けられている前記第一のユーザ識別子を特定し、特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを前記第二の通信端末に問合わせ、該問合せの結果、前記コメントデータを前記第一の通信端末に対して送信することが許可されている場合に、前記第一の通信端末に対して前記コメントデータを前記コンテンツデータとして送信し、前記第二のサーバはさらに成果報酬を制御する成果報酬制御部を備え、前記ユーザ管理データベースは、前記第二のユーザ識別子と、前記第二のユーザ識別子に対して付与された前記成果報酬とを関連付けて記憶しており、前記成果報酬制御部は、前記通知が受信された場合に、前記第二のユーザ識別子に対して付与された前記成果報酬に対して第一の成果報酬を加算することを特徴とする。
【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
商用ウェブサイトを提供する第一のサーバと第一の通信端末とに接続されるサーバであって、
前記第一の通信端末から受信した第一のユーザ識別子と、前記第一のサーバに接続する第二の通信端末から受信した第二のユーザ識別子とを関連付けて記憶するユーザ管理データベースと、
コンテンツデータを前記第一の通信端末に送信することにより、前記コンテンツデータを前記第一の通信端末に設けられた表示部に表示させる制御部と、
前記第一のサーバから、前記第二の通信端末が前記第一のサーバにより提供される前記商用ウェブサイトにおいて所定の処理を実行した場合に送信され、前記第二のユーザ識別子を含む通知を受信する受信部とを備えており、
前記制御部は、
前記受信部が前記通知を受信した場合に、前記通知に含まれる前記第二のユーザ識別子に関連付けられている前記第一のユーザ識別子を特定し、特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを示す諾否情報に基づき、前記コメントデータを前記第一の通信端末に対して送信することが許可されている場合に、前記第一の通信端末に対して前記コメントデータを前記コンテンツデータとして送信し、
さらに成果報酬を制御する成果報酬制御部を備え、
前記ユーザ管理データベースは、前記第二のユーザ識別子と、前記第二のユーザ識別子に対して付与された前記成果報酬とを関連付けて記憶しており、
前記成果報酬制御部は、前記通知が受信された場合に、前記第二のユーザ識別子に対して付与された前記成果報酬に対して第一の成果報酬を加算することを特徴とするサーバ。
【請求項２】
前記成果報酬制御部はさらに、
所定条件が満たされた場合に、前記第二のユーザ識別子に対して付与された前記成果報酬に対して第二の成果報酬をさらに加算することを特徴とする、請求項１に記載のサーバ。
【請求項３】
前記所定条件は、前記商用ウェブサイトにおいて前記所定の処理を実行した通信端末の合計数が所定数に到達したことであることを特徴とする請求項２に記載のサーバ。
【請求項４】
前記所定条件は、前記第一の通信端末に対して送信された前記コメントデータに含まれる前記リンク情報に基づいて前記第一の通信端末が前記商用ウェブサイトに接続し、かつ、前記第一の通信端末が前記商用ウェブサイトにおいて所定の処理を実行したことであることを特徴とする請求項２に記載のサーバ。
【請求項５】
前記コメントデータは、マイページのコメント表示領域に表示されることを特徴とする、請求項１乃至４のいずれか一項に記載のサーバ。
【請求項６】
前記コメントデータは、前記マイページのユーザとは異なる所定のユーザのマイページのコメント表示領域に表示されることを特徴とする、請求項５に記載のサーバ。
【請求項７】
前記コメント表示領域に複数のコメントが表示される場合、新しいコメントから順番に上から下に並べて表示されることを特徴とする、請求項５又は６に記載のサーバ。
【請求項８】
前記コメント表示領域に複数のコメントが表示される場合、最新のコメントから過去数件のコメントが表示されることを特徴とする、請求項５乃至７のいずれか一項に記載のサーバ。
【請求項９】
前記マイページは、コメント履歴を表示するためのコメント履歴アイコンを含むことを特徴とする、請求項５乃至８のいずれか一項に記載のサーバ。
【請求項１０】
前記マイページは、コメント入力フォームを含み、前記コメント入力フォームは前記コメント表示領域よりも上部に表示されることを特徴とする、請求項５乃至９のいずれか一項に記載のサーバ。
【請求項１１】
商用ウェブサイトを提供する第一のサーバと、
第二のサーバと、
前記第二のサーバに接続する第一の通信端末と、
前記第一のサーバに接続する第二の通信端末とを備えた広告提供システムであって、
前記第二のサーバは、
前記第一の通信端末から受信した第一のユーザ識別子と、前記第二の通信端末から受信した第二のユーザ識別子とを関連付けて記憶するユーザ管理データベースと、
コンテンツデータを前記第一の通信端末に送信することにより、前記コンテンツデータを前記第一の通信端末に設けられた表示部に表示させる制御部と、
を備えており、
前記第一のサーバは、前記第二の通信端末が前記第一のサーバにより提供される前記商用ウェブサイトにおいて所定の処理を実行した場合に、前記第二のサーバに対して前記第二のユーザ識別子を含む通知を送信し、
前記制御部が、前記通知を受信した場合に、前記通知に含まれる前記第二のユーザ識別子に関連付けられている前記第一のユーザ識別子を特定し、特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを示す諾否情報に基づき、前記コメントデータを前記第一の通信端末に対して送信することが許可されている場合に、前記第一の通信端末に対して前記コメントデータを前記コンテンツデータとして送信し、
前記第二のサーバはさらに成果報酬を制御する成果報酬制御部を備え、
前記ユーザ管理データベースは、前記第二のユーザ識別子と、前記第二のユーザ識別子に対して付与された前記成果報酬とを関連付けて記憶しており、
前記成果報酬制御部は、前記通知が受信された場合に、前記第二のユーザ識別子に対して付与された前記成果報酬に対して第一の成果報酬を加算することを特徴とする広告提供システム。
【請求項１２】
商用ウェブサイトを提供する第一のサーバと、第二のサーバと、前記第二のサーバに接続する第一の通信端末と、前記第一のサーバに接続する第二の通信端末とを備えた広告提供システムにおける広告提供方法であって、
前記第二のサーバが、前記第一の通信端末から受信した第一のユーザ識別子と、前記第二の通信端末から受信した第二のユーザ識別子とを関連付けて記憶するステップと、
前記第一のサーバが、前記第二の通信端末が前記第一のサーバにより提供される前記商用ウェブサイトにおいて所定の処理を実行した場合に、前記第二のサーバに対して前記第二のユーザ識別子を含む通知を送信するステップと、
前記第二のサーバが、前記通知を受信した場合に、前記通知に含まれる前記第二のユーザ識別子に関連付けられている前記第一のユーザ識別子を特定するステップと、
前記第二のサーバが、特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを示す諾否情報に基づき、前記コメントデータを前記第一の通信端末に対して送信することが許可されている場合に、前記第一の通信端末に対して前記コメントデータを、コンテンツデータとして送信し、前記コメントデータを前記第一の通信端末に設けられた表示部に表示させるステップと、
前記第二のサーバが、成果報酬を制御するステップと、を含み、
前記記憶するステップはさらに、前記第二のユーザ識別子と、前記第二のユーザ識別子に対して付与された前記成果報酬とを関連付けて記憶し、
前記第二のサーバが前記通知を受信した場合に、前記第二のユーザ識別子に対して付与された前記成果報酬に対して第一の成果報酬を加算することを特徴とする広告提供方法。
【請求項１３】
商用ウェブサイトを提供する第一のサーバと第一の通信端末とに接続されるサーバによる広告提供方法であって、
前記第一の通信端末から受信した第一のユーザ識別子と、前記第一のサーバに接続する第二の通信端末から受信した第二のユーザ識別子とを関連付けて記憶するステップと、
前記第一のサーバから、前記第二の通信端末が前記第一のサーバにより提供される前記商用ウェブサイトにおいて所定の処理を実行した場合に送信され、前記第二のユーザ識別子を含む通知を受信するステップと、
前記通知を受信した場合に、前記通知に含まれる前記第二のユーザ識別子に関連付けられている前記第一のユーザ識別子を特定するステップと、
特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを示す諾否情報に基づき、前記コメントデータを前記第一の通信端末に対して送信することが許可されている場合に、前記第一の通信端末に対して前記コメントデータを、コンテンツデータとして送信し、前記コメントデータを前記第一の通信端末に設けられた表示部に表示させるステップと、
成果報酬を制御するステップと、を含み、
前記記憶するステップはさらに、前記第二のユーザ識別子と、前記第二のユーザ識別子に対して付与された前記成果報酬とを関連付けて記憶し、
前記通知を受信した場合に、前記第二のユーザ識別子に対して付与された前記成果報酬に対して第一の成果報酬を加算することを特徴とするサーバによる広告提供方法。
【手続補正２】
【補正対象書類名】明細書
【補正対象項目名】０００７
【補正方法】変更
【補正の内容】
【０００７】
上記課題を解決するために本発明に係る広告提供システムは、商用ウェブサイトを提供する第一のサーバと、第二のサーバと、前記第二のサーバに接続する第一の通信端末と、前記第一のサーバに接続する第二の通信端末とを備えた広告提供システムであって、前記第二のサーバは、前記第一の通信端末から受信した第一のユーザ識別子と、前記第二の通信端末から受信した第二のユーザ識別子とを関連付けて記憶するユーザ管理データベースと、コンテンツデータを前記第一の通信端末に送信することにより、前記コンテンツデータを前記第一の通信端末に設けられた表示部に表示させる制御部と、を備えており、前記第一のサーバは、前記第二の通信端末が前記第一のサーバにより提供される前記商用ウェブサイトにおいて所定の処理を実行した場合に、前記第二のサーバに対して前記第二のユーザ識別子を含む通知を送信し、前記制御部が、前記通知を受信した場合に、前記通知に含まれる前記第二のユーザ識別子に関連付けられている前記第一のユーザ識別子を特定し、特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを示す諾否情報に基づき、前記コメントデータを前記第一の通信端末に対して送信することが許可されている場合に、前記第一の通信端末に対して前記コメントデータを前記コンテンツデータとして送信し、前記第二のサーバはさらに成果報酬を制御する成果報酬制御部を備え、前記ユーザ管理データベースは、前記第二のユーザ識別子と、前記第二のユーザ識別子に対して付与された前記成果報酬とを関連付けて記憶しており、前記成果報酬制御部は、前記通知が受信された場合に、前記第二のユーザ識別子に対して付与された前記成果報酬に対して第一の成果報酬を加算することを特徴とする。